(57)【要約】      （修正有）【課題】空間的に有利となる医療・介護施設用間仕切り構造を提供する。【解決手段】戸袋状の扁平ケース１を固定ロッド１１を介して天井部に固定し、扁平ケース１中には仕切り体２を出し入れ自在に収納し、仕切り体２の下端縁は、該ケースの内底面に敷設した多数の受けローラ１５上に載置すると共に、仕切り体２の前端下部には床面に接触する支持ローラを垂設し、仕切り体の後端上縁の隅部にはストッパ部を設けると共に、ストッパ部は、仕切り体の隅部より上方に突出した平面略Ｌ字状の取付金具と、該取付金具に付設した防震機能を有する当板と、当板の後側面に取付金具を挿貫して突設したアジャスタとより構成し、しかも、扁平ケースの開口部天井には当板と当接することにより仕切り体の引き出し範囲を規制するためのストッパ本体を垂設した。【選択図】図１
2010031460.tif 000002
【特許請求の範囲】
【請求項１】
室内空間において、各ベッド間に、戸袋状の扁平ケースを設置すると共に該ケース上部と室内の天井部とを固定ロッドを介して連結することにより扁平ケースを天井部に固定し、更には、扁平ケース中には仕切り体を出し入れ自在に収納し、しかも、仕切り体の下端縁は、該ケースの内底面に敷設した多数の受けローラ上に載置すると共に、仕切り体の前端下部には床面に接触する支持ローラを垂設し、また、仕切り体の後端上縁の隅部にはストッパ部を設けると共に、ストッパ部は、仕切り体の隅部より上方に突出した平面略Ｌ字状の取付金具と、該取付金具に付設した防震機能を有する当板と、当板の後側面に取付金具を挿貫して突設したアジャスタとより構成し、しかも、扁平ケースの開口部天井には当板と当接することにより仕切り体の引き出し範囲を規制するためのストッパ本体を垂設したことを特徴とする医療・介護施設用間仕切り構造。
【請求項２】
扁平ケース中に紫外線ランプを内蔵すると共に、扁平ケースの側板には小孔を設け、しかも、仕切り体の表面には光触媒塗料を塗布することにより、院内感染防止機能を具備したことを特徴とする請求項1に記載の医療・介護施設用間仕切り構造。
【発明の詳細な説明】
【技術分野】
【０００１】
本発明は医療・介護施設用間仕切り構造に関する。
【背景技術】
【０００２】
従来、医療施設や介護施設等の部屋は、大部屋、すなわち複数人が居住するベッドを収容した大部屋と、個室とに区別される。
【０００３】
大部屋では、隣接するベッド間にカーテンや移動式衝立で仕切って少しでも看者のプライバシーが保護されるように構成されている。
【０００４】
しかし、大部屋におけるこれらの間仕切り構造では、充分にプライバシーが尊重されないと共に、施設側の経営的見地からは可及的に個室を多くして入院費用の点数などを稼ぐことが重要になってくる。
【０００５】
そこで、大部屋を遮蔽機能の高い仕切り構造で区分して、各区分室を個室として使用できるようにする準個室化を目的とした仕切り構造が望まれてきた。
【０００６】
例えば、特許文献１においては次のような仕切り体構造が開示されている。
【０００７】
すなわち、前開口式の左右の収納ユニット家具を一対立設し、その一対の家具の間に薄い戸袋状のケースを挟持しておく。このようにして戸袋状のケースが倒状しないように家具間に挟持固定した状態としておく。そして、該ケース中に仕切り体を抽出し自在に収納しておき、仕切り体の不使用時には該ケース中に収納し、準個室化するために空間を区画形成するために仕切り体を用いる場合には該ケースから仕切り体を引き出すものであり、しかも、仕切り体にて区画された空間は硬質の仕切り体素材で、且つ遮蔽機能も高い状態で個室化されており、いわゆる準個室化されて個室と同等の治療設備として取扱われるようにしている。
【特許文献１】特開２００７−３１９１８６
【発明の開示】
【発明が解決しようとする課題】
【０００８】
特許文献１では、準個室化するために隣接した一対の家具ユニットが必要であり、その間に戸袋状のケースを挟持する構造であるため、家具ユニットのスペース分だけ個室区画が狭くなり、空間的に不利となる欠点があった。
【０００９】
更には、仕切り体は、戸袋状のケースの内天井部に敷設したレールに吊下した構造としているため、仕切り体の出し入れ動作の安定性が悪く、揺動して戸袋状のケース内側面と接触して騒音を生起しやすい欠点があった。
【００１０】
更には、戸袋状のケースの底部は開放状に構成され仕切り体下端縁に付設したローラが該ケース下端開放部から露出して床面上を滑動するように構成されているため、ローラが室内の床面と接触して塵芥が飛散しやすく非衛生的であると共に、仕切り体の出し入れ動作時に騒音も生起しやすい等の欠点があった。
【００１１】
更には、かかる仕切り体には、院内感染を防止するような技術は何も開示されていないものであった。
【課題を解決するための手段】
【００１２】
この発明は、室内空間において、各ベッド間に、戸袋状の扁平ケースを設置すると共に該ケース上部と室内の天井部とを固定ロッドを介して連結することにより扁平ケースを天井部に固定し、更には、扁平ケース中には仕切り体を出し入れ自在に収納し、しかも、仕切り体の下端縁は、該ケースの内底面に敷設した多数の受けローラ上に載置すると共に、仕切り体の前端下部には床面に接触する支持ローラを垂設し、また、仕切り体の後端上縁の隅部にはストッパ部を設けると共に、ストッパ部は、仕切り体の隅部より上方に突出した平面略Ｌ字状の取付金具と、該取付金具に付設した防震機能を有する当板と、当板の後側面に取付金具を挿貫して突設したアジャスタとより構成し、しかも、扁平ケースの開口部天井には当板と当接することにより仕切り体の引き出し範囲を規制するためのストッパ本体を垂設したことを特徴とする医療・介護施設用間仕切り構造を提供せんとするものである。
【００１３】
また、扁平ケース中に紫外線ランプを内蔵すると共に、扁平ケースの側板には小孔を設け、しかも、仕切り体の表面には光触媒塗料を塗布することにより、院内感染防止機能を具備したことを特徴とする請求項1に記載の医療・介護施設用間仕切り構造を提供せんとするものである。
【発明の効果】
【００１４】
請求項１の発明によれば、戸袋状の扁平ケース中に仕切り体を出し入れ自在に収納しているので、必要に応じて仕切り体を引き出すことにより各ベッド間に遮蔽機能を有した間仕切りを設定可能として各ベッド毎の準個室を形成することが出来る効果がある。
【００１５】
また、仕切り体は、その下方で当接する受けローラと、前端の支持ローラとによって安定的に円滑に出し入れ動作が行える効果がある。
【００１６】
更には、ストッパ部において、仕切り体の収納時にはアジャスタにより奥行きの突き当たり動作を調整できると共に、引き出し時にはストッパ本体によって手前側への引き出し動作を規制することが出来るので、仕切り体の引き出しや収納の操作が安心して行え、しかも当板が防震機能を有しているため仕切り体の前後摺動時の停止動作に大きな衝撃が生起することなく、騒音も解消でき飛躍的に操作性を向上できる効果がある。
【００１７】
請求項２の発明によれば、仕切り体を引き出している状態では、その表面の光触媒塗料の機能により殺菌効果を果たし、また扁平ケース中に収納状態では紫外線ランプにより塗料が光触媒機能を果たし、側板の小孔より殺菌空気が流出して室内の殺菌機能を果たして院内感染を防止することができる効果がある。
【発明を実施するための最良の形態】
【００１８】
この発明の最良の実施形態は、病室などの室内空間において、各ベッド間に、戸袋状の扁平ケースを設置すると共に該ケース上部と室内の天井部とを固定ロッドを介して連結することにより扁平ケースを天井部に固定し、更には、扁平ケース中には仕切り体を出し入れ自在に収納し、しかも、仕切り体の下端縁は、該ケースの内底面に敷設した多数の受けローラ上に載置すると共に、仕切り体の前端下部には床面に接触する支持ローラを垂設し、また、仕切り体の後端上縁の隅部にはストッパ部を設けると共に、ストッパ部は、仕切り体の隅部より上方に突出した平面略Ｌ字状の取付金具と、該取付金具に付設した防震機能を有する当板と、当板の後側面に取付金具を挿貫して突設したアジャスタとより構成し、しかも、扁平ケースの開口部天井には当板と当接することにより仕切り体の引き出し範囲を規制するためのストッパ本体を垂設したことを特徴とする医療・介護施設用間仕切り構造とするものである。
【００１９】
また、扁平ケース中に紫外線ランプを内蔵すると共に、扁平ケースの側板には小孔を設け、しかも、仕切り体の表面には光触媒塗料を塗布することにより、院内感染防止機能を具備したことを特徴とする請求項1に記載の医療・介護施設用間仕切り構造とするものである。
【００２０】
この発明の実施例を図面にもとづき解説すれば、図１は、本発明の医療・介護施設用間仕切り構造（Ａ）を示すものであり、（１）は戸袋状の扁平ケースであり、（２）は扁平ケース（１）中に出し入れ自在に設けた仕切り体であり、この扁平ケース（１）と仕切り体（２）は室内空間において各ベッド（ａ）間に配設されて各ベッド（ａ）の位置する空間を準個室風に区画する。
【００２１】
扁平ケース（１）は前面を開口して開口部（３）を形成し、他５面は閉鎖された戸袋状に形成されており、具体的にはアルミサッシ等の材料の方形フレーム（４）により扁平立方形の枠組みを構成し、方形フレーム（４）に側板（４−１）、天井材（４−２）を張設して戸袋状の扁平ケース（１）を形成する。なお、底部と後側部には後述する支持ローラ（１５）と室内の壁体（ｃ）が配設されている。
【００２２】
また、図２〜図４に示すように、扁平ケース（１）の天井材（４−２）は、角材にて構成しておき、その開口部（３）に近い部分にはストッパー（６）としてのブロックを垂設すると共にその手前には滑動ローラ（７）を取り付けており、滑動ローラ（７）は摺動する仕切り体（２）の上側部と当接しながら仕切り体（２）の出し入れ動作が円滑に行えるようにしている。
【００２３】
図中、（８）は、滑動ローラ（７）を保持する下方開放の断面コ字状のローラケースであり、該ローラ（７）はローラケース（８）に軸支（９）されると共にローラケース（８）の下方より下側周面が一部露出して出し入れ作動する仕切り体（２）の上側部に当接して滑動可能に構成されている。
【００２４】
かかるローラケース（８）は扁平ケース（１）の方形フレーム（４）の上枠（４’）下面に連設されることにより滑動ローラ（７）の配設が行われる。
【００２５】
また、該ケース（１）の天井材（４−２）には室内の天井部（ｂ）に固定した固定ロッド（１１）の下端が連設されており、固定ロッド（１１）を介して扁平ケース（１）は天井部（ｂ）に固定して倒状しないように構成されている。この固定ロッド（１１）は、例えば、大部屋の室内天井に設けられたカーテンレールと同様の色や太さとすることにより、違和感なく設けることができる。
【００２６】
また、扁平ケース（１）の方形フレーム（４）の後側部は室内の壁体（ｃ）にボルト（１２）を介して固着されて固定ロッド（１１）と共に倒伏防止をはかっている。（１３）は、ボルト受けフランジを示す。
【００２７】
また、扁平ケース（１）の下側部は、床面（ａ）より一定上方に浮上して配設されるように前部下面に支持脚体（１４）を垂設している。また扁平ケース（１）における方形フレーム（４）の下側フレームには、多数個の支持ローラ（１５）を並設しており、該ローラ（１５）は前述の滑動ローラ（７）と同様にローラケース（１６）に上向きで多数軸支されており、従って、ローラケース（１６）を方形フレーム（４）の下側フレーム（４“）に固定することにより支持ローラ（１５）の敷設がなされる。
【００２８】
仕切り体（２）は、この支持ローラ（１５）上を摺動して扁平ケース（１）中を出し入れ操作される。
【００２９】
このように構成された扁平ケース（１）は、図５に示すように室内の壁体（ｃ）に沿って配置した左右一対の家具ユニット（Ｐ）（Ｐ）の間に挟持されるように立設させてもよい。すなわち、扁平ケース（１）は、固定ロッド（１１）と後端部のボルト（１２）とにより天井部（ｂ）と壁体（ｃ）とに固定されているが更に安定性を向上するために扁平ケース（１）の壁体側の一部の両側を左右一対の家具ユニット（Ｐ）（Ｐ）の間で挟持することができる。
【００３０】
左右一対の家具ユニット（Ｐ）（Ｐ）は、それぞれ区画したベッド空間の壁側に配置されているものであり、各区画空間の準個室で使用される家具となる。家具ユニットとしては、たとえばクローゼットや本箱や化粧棚やパソコンテーブルや小物入れなどが考えられる。
【００３１】
次に、扁平ケース（１）中を出し入れする仕切り体（２）について説明する。
【００３２】
図１に示すように、仕切り体（２）は壁体を構成すべく一定厚みの方形体で形成されており、前端下部には、突出部（１８）を介して摺動ローラ（１７）を垂設することにより扁平ケース（１）前部を床面（ｄ）に支持する。
【００３３】
従って、仕切り体（２）は、扁平ケース（１）内の支持ローラ（１５）で支持されながら前端下部の摺動ローラ（１７）で床面を滑動して出入れ作動がなされる。仕切り体（２）の中央には必要に応じてガラス窓部（５）を形成しておくことができる。
【００３４】
仕切り体（２）の後端上部の隅部には、図４に示すように平面視で略Ｌ字状の取付金具（１９）がボルト（２０）を介して取り付けられており、該金具（１９）の内側、すなわち、仕切り体（２）の上端面後部には当板（２１）が立設されている。
【００３５】
該当板（２１）は、表面を柔軟性素材で形成して緩衝機能を有するように構成されており、当板（２１）の後側面にはアジャスタ（２２）が突設され、金具（１９）を挿貫した状態で仕切り体（２）の後側端面より前端が突出する。
【００３６】
該アジャスタ（２２）は、仕切り体（２）が扁平ケース（１）内部に収納される際に、突き当りの扁平ケース（１）内後側面と当接しアジャスタ（２２）の長さの分だけ仕切り体（２）が該ケース（１）奥部で一定空間を保持する。
【００３７】
特に扁平ケース（１）奥部のボルト（１２）頭部に仕切り体（２）の後端面が直接に当接しないように機能する。
【００３８】
また、当板（１９）の前側面は、仕切り体（２）を扁平ケース（１）から引き出す際にストッパ本体（６）と干渉してそれ以上手前側に引き出しできないように規制している。
【００３９】
従って、扁平ケース（１）に連設したストッパー（６）と仕切り体（２）に連設した取付金具（１９）と当板（６）とアジャスタ（２）とにより、ストッパ部（Ｍ）が構成されていることになる。
【００４０】
仕切り体（２）は、前記したストッパ部（Ｍ）により引き出し範囲が規制されるが、ストッパ部（Ｍ）を後方に配設する程に、仕切り体（２）を引き出した際に扁平ケース（１）中での残留範囲が大となり、仕切り体（２）の安定性は増大する。
【００４１】
従って、仕切り体（２）を扁平ケース（１）よりも前後幅を長くし、ストッパ部（Ｍ）のストッパ本体（６）をやや後方に位置させると仕切り体（２）の引き出し時の扁平ケース（１）中残留幅が長くなり安定性は増大する。
【００４２】
ストッパ本体（６）は、扁平ケース（１）の上枠（４’）に対して取り付け位置を変更自在とすれば、仕切り体（２）の安定性の具居合いや仕切り体（２）の前後長さとの関連で、最適な間仕切り構造を選択できる。
【００４３】
図中（１０）は、ストッパ本体（６）を上枠（４’）に取付位置調整自在に行うための取付ボルトを示す。
【００４４】
本発明の一実施形態に係る医療・介護施設用間仕切り構造は、上記のように構成されているものであるが、更に、この間仕切り構造に院内感染を防止するための殺菌、滅菌機能を保持させることもできる。
【００４５】
例えば、予め、仕切り体（２）の両側面に光触媒塗料、例えば酸化チタン含有塗料を塗布しておき、光触媒機能を保持させておけば、院内感染の防止に役に立つ。
【００４６】
更には、扁平ケース（１）中に紫外線ランプを収納し、紫外線を照射するように構成しておけば、扁平ケース（１）内の殺菌が行えると共に、扁平ケース（１）の側板（４−１）に多数の小孔（ｎ）を穿設しておくことにより、小孔（ｎ）から漏洩した紫外線が室内の殺菌機能を果たす。しかも、扁平ケース（１）内に仕切り体（２）を収納した際には、仕切り体（２）の表面に塗布した光触媒塗料が紫外線ランプにより光触媒機能を発揮して扁平ケース（１）の小孔（ｎ）から室内の空気と流通して殺菌、滅菌機能を果たすことができる。なお、紫外線ランプの紫外線波長としては、２５０〜３５０ナノメーターマイクロウェーブを使用する。
【００４７】
この発明の実施例は上記のように構成されているものであり、多数のベッド（ａ）が収容された大部屋の室内をベッド空間ごとに区画して準個室化する際には、まず扁平ケース（１）をベッド（ａ）間に配設し該ケース（１）の上面を固定ロッド（１１）を介して天井部に連設固定する。同時に扁平ケース（１）の方形フレーム（４）の後端部を室内の壁体（ｃ）にボルト（１２）で固定する。なお、その際には予め方形フレーム（４）に側板（４−１）を張設する前に方形フレーム（４）の後端部を室内の壁体（ｃ）に固定する作業を行う。
【００４８】
かかる状態では扁平ケース（１）は、支持脚体（１４）にて床面（ｄ）に支持されながら上側面は天井部（ｂ）に、後端部は室内の壁体（ｃ）に固定されている。
【００４９】
このようにして各ベッド（ａ）（ａ）間において壁から約半分の空間は扁平ケース（１）によって区画されている。
【００５０】
次いで、扁平ケース（１）内に予め収納された仕切り体（２）を当板（２１）がストッパ本体（６）に当接するまで引き出す。
【００５１】
この際に、当板（２１）に緩衝機能を保持させているので仕切り体（２）の引き出し動作に伴うストッパ本体（６）との当接衝撃を減少できる。
【００５２】
かかる状態では、扁平ケース（１）と、該ケースから引き出し延設された仕切り体（２）とによりベッド（ａ）（ａ）間は区画遮断されて準個室化された状態となる。
【００５３】
なお、扁平ケース（１）から仕切り体（２）を引き出す際には、支持ローラ（１５）と摺動ローラ（１７）と滑動ローラ（７）とにより円滑に引き出し動作がなされる。
【００５４】
また、ベッド（ａ）（ａ）間を遮断した仕切り体（２）を扁平ケース（１）内に収納してベッド間の流通を図る必要がある時には、仕切り体（２）を扁平ケース（１）内に押し込めば仕切り体（２）の幅だけ流通空間が形成される。
【００５５】
この際にアジャスタは扁平ケース（１）の奥の壁体に当接して押し込み時の規制が行われる共に、アジャスタ（２２）基端と一体の当板（２１）に緩衝機能が保持されているので仕切り体（２）の押し込み衝撃が減少される。
【００５６】
また、扁平ケース（１）中に紫外線ランプにより紫外線を照射すれば扁平ケース（１）内の殺菌が行えると共に、扁平ケース（１）の側板（４−１）の多数の小孔（ｎ）から漏洩した紫外線が室内の殺菌機能を果たす。しかも、扁平ケース（１）内に仕切り体（２）を収納した際には、仕切り体（２）の表面に塗布した光触媒塗料が紫外線ランプにより光触媒機能を発揮して扁平ケース（１）の小孔（ｎ）から室内の空気と流通して殺菌、滅菌機能、すなわち、院内感染を防止するこができる。
【図面の簡単な説明】
【００５７】
【図１】本発明の一実施形態に係る間仕切り構造の全体側面図である。
【図２】仕切り体を最大限に引き出した状態の一部拡大側面図とＡ−Ａ線断面図である。
【図３】仕切り体を押込む状態の一部拡大側面図とＢ−Ｂ線断面図である。
【図４】本発明の一実施形態に係る間仕切り構造の要部の斜視説明図である。
【図５】本発明の一実施形態に係る間仕切り構造の使用状態を示す説明図である。
【符号の説明】
【００５８】
Ａ：医療・介護施設用間仕切り構造
Ｍ：ストッパ部
（ａ）ベッド
（ｂ）天井部
（ｃ）壁体
（ｄ）床面
１：扁平ケース
２：仕切り体
３：開口部
４：方形フレーム
４−１：側板
４−２：天井材
５：ガラス窓部
６：ストッパ本体
７：滑動ローラ
８：ローラケース
９：軸支部
１１：固定支杵
１２：ボルト
１３：ボルト受けフランジ
１４：支持脚体
１５：支持ローラ
１６：ローラケース
１７：摺動ローラ
１８：突出部
１９：取付金具
２０：ボルト
２１：当板
２２：アジャスタ
【図２】
2010031460.tif 000003
【図３】
2010031460.tif 000004
【図４】
2010031460.tif 000005
【図５】
2010031460.tif 000006
【図１】
2010031460.tif 000007